(57)【要約】【課題】簡単な構造で、半月板を保護するとともに半月板の変位を防止及び矯正することができ、半月板の変位により発生する膝の痛みを抑止したり緩和させる半月板矯正用ベルトを提供する。【解決手段】膝蓋骨２０の下部に捲着する帯状体２の、膝前方に配置される膝当接面２ａに、内側半月板２１ａを押圧する第１弾性押圧部材３ａと、外側半月板２１ｂを押圧する第２弾性押圧部材３ｂとを取り付ける。帯状体２を伸縮可能なラバースポンジで形成するとともに、該帯状体２の両端部に、帯状体２の長手方向に長尺な面ファスナー４を取り付け、帯状体２の伸縮及び面ファスナー４の接続位置の変更により、帯状体２の締め付け強度と、前記第１弾性部材３ａ及び第２弾性押圧部材３ｂの押圧強度とを調節する。【選択図】  図１
2007105311.tif 000002
【特許請求の範囲】
【請求項１】
膝蓋骨の下部に捲着する帯状体の、膝前方に配置される膝当接面に、内側半月板を押圧する第１弾性押圧部材と、外側半月板を押圧する第２弾性押圧部材とを取り付けたことを特徴とする半月板矯正用ベルト。
【請求項２】
前記帯状体を伸縮可能なラバースポンジで形成するとともに、該帯状体の両端部に、帯状体の長手方向に長尺な面ファスナーを取り付け、前記帯状体の伸縮及び前記面ファスナーの接続位置の変更により、前記帯状体の締め付け強度と、前記第１弾性部材及び第２弾性押圧部材の押圧強度とを調節することを特徴とする請求項１記載の半月板矯正用ベルト。
【発明の詳細な説明】
【技術分野】
【０００１】
本発明は、半月板を適度に押圧し、半月板を保護するとともに、半月板の変位により発生する膝の痛みの緩和及び半月板の位置の矯正を図る半月板矯正用ベルトに関する。
【背景技術】
【０００２】
大腿骨と脛骨との間の膝関節には、膝の内側と外側に、大腿から受ける衝撃を吸収したり、膝関節を安定させて円滑な運動をもたらすための２つの半月板が存在している。この半月板は、加齢やスポーツ外傷等により変位し易く、半月板の変位に伴って関節裂隙が狭窄すると、骨が硬化したり骨棘や骨堤ができて膝が痛むことがあった。特に、加齢やスポーツ外傷等により、外側筋群にストレスが掛かると、脛骨が歪んで所謂「Knee out Toe in」の状態となり、半月板はこの歪みを矯正しようとして膝の前方に変位していた。そして、この変位に伴って内側関節裂隙が狭窄し、内側関節部に痛みが発生することが多かった。
【０００３】
従来、膝関節の保護や矯正及び膝関節の痛みを緩和させるために、様々な装具が提案されている。例えば、膝蓋骨を露呈させる孔を備えた弾性を有する膝蓋骨固定部と、該膝蓋骨固定部の両端に連結用ベルトを設け、膝蓋骨固定部を膝蓋骨に当て、連結用ベルトを膝蓋骨に対して適当な圧力が加わるように引張して留めるようにしたものや（特許文献１参照。）、膝上部及び膝下部にそれぞれ捲着される２本のバンド片の長手方向中央部を連結し、膝裏にあてがわれる膝裏当て部を備えたゴム基体と、各バンド片の両端部同士を着脱可能に接続する面ファスナーと、バンド片の内側面に配設される磁石とから構成され、バンド片を膝に捲着して磁石を膝関節周囲に当接させることにより、血行を促進させるようにしたものがある（特許文献２参照。）。
【特許文献１】特開昭６２−１２０８５０号公報
【特許文献２】特開２００１−２６２４１２号公報
【発明の開示】
【発明が解決しようとする課題】
【０００４】
しかし、上述の特許文献１のものは、膝蓋骨を固定して膝関節を矯正することはできるが、半月板を直接押圧するものではなく、半月板を保護したり矯正することはできなかった。また、特許文献２のものは、膝関節周囲の血行を良くし、膝関節の痛みを緩和させるのには適しているが、特許文献１のものと同様に、半月板を保護したり矯正をする効果はなかった。
【０００５】
そこで本発明は、簡単な構造で、半月板を保護するとともに半月板の変位を防止及び矯正することができ、半月板の変位により発生する膝の痛みを抑止したり緩和させる半月板矯正用ベルトを提供することを目的としている。
【課題を解決するための手段】
【０００６】
上記の目的を達成するため本発明の半月板矯正用ベルトは、膝蓋骨の下部に捲着する帯状体の、膝前方に配置される膝当接面に、内側半月板を押圧する第１弾性押圧部材と、外側半月板を押圧する第２弾性押圧部材とを取り付けたことを特徴とし、前記帯状体を伸縮可能なラバースポンジで形成するとともに、該帯状体の両端部に、帯状体の長手方向に長尺な面ファスナーを取り付け、前記帯状体の伸縮及び前記面ファスナーの接続位置の変更により、前記帯状体の締め付け強度と、前記第１弾性押圧部材及び第２弾性押圧部材の押圧強度とを調節すると好適である。
【発明の効果】
【０００７】
上述のように形成することにより、内側半月板及び外側半月板を各弾性押圧部材で直接押圧して、半月板の変位を有効に防止及び矯正することができる。特に、半月板が変位し易い膝前方に前記第１、第２弾性押圧部材が配設され、内側半月板及び外側半月板をそれぞれ押圧することから、簡単な構造で２つの半月板を効果的に保護及び矯正することができる。
【０００８】
また、帯状体を伸縮可能なラバースポンジで形成し、面ファスナーの接続位置を変更することにより、帯状体の膝締め付け強度と各弾性押圧部材の半月板押圧強度とを調節でき、半月板の状態に応じて、最適な締め付け強度と押圧強度とを得ることができる。
【発明を実施するための最良の形態】
【０００９】
以下、本発明の一形態例を図面に基づいて詳しく説明する。図１は本発明の一形態例を示す半月板矯正用ベルトの斜視図、図２は半月板矯正用ベルトを装着した状態の説明図である。
【００１０】
半月板矯正用ベルト１は、膝蓋骨２０の下部に捲着する帯状体２と、該帯状体２の膝当接面２ａに取り付けられる第１弾性押圧部材３ａと第２弾性押圧部材３ｂとを備えている。
【００１１】
帯状体２は、伸縮可能なラバースポンジで形成され、両端部から中央側に向けて漸次幅が広くなるように形成されるとともに、最も幅広となる中央側から、中央部に向けて、漸次幅が狭くなるように形成される。
【００１２】
帯状体２の両端部には、該両端部同士を着脱可能に接続する面ファスナー４が取り付けられている。面ファスナー４は、鉤状の突起が一面についた第１布片４ａと、パイル状の第２布片４ｂとで構成される周知のもので、第１布片４ａは長方形状に形成され、帯状体２の膝当接面２ａ側の一端部に取り付けられる。第２布片４ｂは、第１布片４ａよりも帯状体２の長手方向に長尺な長方形状に形成され、帯状体２の外面２ｂ側の他端部に取り付けられる。
【００１３】
第１弾性押圧部材３ａと、第２弾性押圧部材３ｂとは、適度な柔軟性を有する矩形のスポンジやウレタンで形成され、帯状体２の膝当接面２ａの中央部に、所定の間隔を空けて取り付けられる。
【００１４】
上述のように形成された半月板矯正用ベルト１は、図２に示されるように、内側半月板２１ａに第１弾性押圧部材３ａを、外側半月板２１ｂに第２弾性押圧部材３ｂを当接させて、帯状体２の両端部に取り付けられた面ファスナー４の第１布片４ａと第２布片４ｂとを、第１弾性押圧部材３ａが内側半月板２１ａを、第２弾性押圧部材３ｂが外側半月板２１ｂをそれぞれ押圧するように、膝の裏側で接続させて膝蓋骨２０の下部に捲着される。
【００１５】
このように、本形態例の半月板矯正用ベルト１は、膝蓋骨２０の下部に簡単に捲着することができ、靴を履いた状態でも装着することができる。また、帯状体２は、両端部から中央側に向けて漸次幅が広くなるように形成されるとともに、最も幅広となる中央側から、中央部に向けて漸次幅が狭くなるように形成されていることから、半月板矯正用ベルト１を捲着した時に、帯状体２の上端部２ｃが膝蓋骨２０の湾曲に沿うように配設され、半月板矯正用ベルト１の捲着後も、膝を楽に曲げ伸ばしすることができる。さらに、帯状体２が伸縮可能なラバースポンジで形成されているとともに、面ファスナー４の接続位置を変更できることから、帯状体２の締め付け強度と第１弾性押圧部材３ａ及び第２弾性押圧部材３ｂの押圧強度とを調節することができ、半月板２１ａ，２１ｂの状態に応じて、最適な締め付け強度と押圧強度とを簡単に得ることができる。
【００１６】
なお、帯状体の幅は適宜設定すればよく、幅を広く形成し、膝関節を広く覆うようにすることもでき、膝裏に当接するクッションを設けてもよい。また、帯状体や弾性押圧部材の材質や形状は上述の形態例に限るものではなく、半月板を良好に押圧できるものであれば、どのようなものでも差し支えない。
【図面の簡単な説明】
【００１７】
【図１】本発明の一形態例を示す半月板矯正用ベルトの斜視図である。
【図２】半月板矯正用ベルトを装着した状態の説明図である。
【符号の説明】
【００１８】
１…半月板矯正用ベルト、２…帯状体、２ａ…膝当接面、２ｂ…外面、２ｃ…上端部、３ａ…第１弾性押圧部材、３ｂ…第２弾性押圧部材、４…面ファスナー、４ａ…第１布片、４ｂ…第２布片、２０…膝蓋骨、２１ａ…内側半月板、２１ｂ…外側半月板
【図１】
2007105311.tif 000003
【図２】
2007105311.tif 000004